(57)【要約】【課題】光ディスクへのデータの記録が停止されてから再び記録開始になるまでの記録停止時間に応じて、光ディスクの検査内容を決定する光ディスク記録装置を提供する。【解決手段】制御部９は、メモリ７へデータ信号を供給する転送レートと、光ピックアップ２のシークタイムとを計測し、メモリ７の記録開始閾値から記録停止閾値を減算した値を転送レートで除算し、除算した値にシークタイムの時間を加算して記録停止時間を算出し、光ディスクＤの必要な検査内容を決定する。【選択図】図４
2011103161.tif 000002
【特許請求の範囲】
【請求項１】
第１のデータ転送レートで転送されるデータ信号を記憶するメモリと、
前記メモリから読み出しデータ信号を、第１のデータ転送レートより大なる転送レートの第２のデータ転送レートで伝送される記録データ信号として、光ディスクに記録する光ピックアップと、
前記メモリのメモリ制御と、前記光ピックアップの記録制御とを行う制御部とを備え、
前記制御部は、
前記光ディスクに対する記録処理が開始されると、前記メモリへのデータ信号の記憶を開始し、第１のデータ転送レートを計測し、前記メモリに記憶されているデータ信号の記憶容量が記憶開始閾値以上となると前記光ディスクへの記録データ信号の記録を開始し、前記光ピックアップのシークタイムを計測し、前記メモリに記憶されているデータ信号の記憶容量が記憶開始閾値より低い記憶停止閾値以下となると、前記光ディスクへの記録データ信号の記録を停止し、前記記憶開始閾値から前記記憶停止閾値を減算した値を前記第１の転送レートで除算し、前記除算した値に前記シークタイムの時間を加算して記録停止から次の記録開始までの記録停止時間を算出し、前記記録停止時間に応じて、前記光ディスクに対する必要な検査内容を決定する
ことを特徴とする光ディスク記録装置。
【発明の詳細な説明】
【技術分野】
【０００１】
本発明は、光ディスクにデータを間欠して記録する光ディスク記録装置に関するものである。
【背景技術】
【０００２】
バッファメモリにメモリされているデータを読み出してディスクに記録した後、記録動作を一旦停止し、この後、バッファメモリに充足されている新たなデータを読み出してディスクに記録するまでの時間を利用して、ディスクに記録されているデータを良好に再生できることを検査するデータ読み取り検査、データをディスクに良好に記録できることを検査するディスク欠陥検査の、一方または両方を行う記録制御方法がある（特許文献１）。
【先行技術文献】
【特許文献】
【０００３】
【特許文献１】特開２００６−１３９８３４号公報
【発明の概要】
【発明が解決しようとする課題】
【０００４】
前記したように、バッファメモリから読み出したデータをディスクに記録した後、記録動作を一旦停止し、再びバッファメモリから読み出したデータをディスクに記録するまでの時間を求めるには、データをバッファメモリへ転送する転送レートと、データをディスクに書込記録する書込レートとのレート差（時間差）を算出することが必要である。一般に、転送レートよりも書込レートの方が大きい値である。
【０００５】
実際は、この時間差に応じた時間が経過しても、直ちにデータをディスクに記録できない。記録再生用光ピックアップをディスクの記録エリア上に移送するためのオーバーヘッド時間（シークタイム）を経過して、データのディスクへの記録動作ができるのである。
【０００６】
そこで本発明は、光ディスクへのデータの記録が停止されてから再び光ディスクへデータの記録ができるようになるまでの記録停止時間内に、光ピックアップから光ディスクへ射出する記録レーザ光の最適記録パワーを求め、あるいは、記録装置内の温度上昇が所定値以上あった場合に光ディスクの回転制御を再調整し、光ディスクから再生したデータにエラーがないことを確認するなどを行う光ディスク記録装置を提供することを目的とする。
【課題を解決するための手段】
【０００７】
上記目的を達成するために、本発明は、次の構成を有する光ディスク記録装置を提供する。
【０００８】
第１のデータ転送レートで転送されるデータ信号を記憶するメモリ（７）と、
前記メモリから読み出しデータ信号を、第１のデータ転送レートより大なる転送レートの第２のデータ転送レートで伝送される記録データ信号として、光ディスク（Ｄ）に記録する光ピックアップ（２）と、
前記メモリのメモリ制御と、前記光ピックアップの記録制御とを行う制御部（９）とを備え、
前記制御部は、
前記光ディスクに対する記録処理が開始されると、前記メモリへのデータ信号の記憶を開始し、第１のデータ転送レートを計測し、前記メモリに記憶されているデータ信号の記憶容量が記憶開始閾値（Ｘ）以上となると前記光ディスクへの記録データ信号の記録を開始し、前記光ピックアップのシークタイムを計測し、前記メモリに記憶されているデータ信号の記憶容量が記憶開始閾値より低い記憶停止閾値（Ｙ）以下となると、前記光ディスクへの記録データ信号の記録を停止し、前記記憶開始閾値から前記記憶停止閾値を減算した値を前記第１の転送レートで除算し、前記除算した値に前記シークタイムの時間を加算して記録停止から次の記録開始までの記録停止時間を算出し、前記記録停止時間に応じて、前記光ディスクに対する必要な検査内容を決定する
ことを特徴とする光ディスク記録装置。
【発明の効果】
【０００９】
本発明によれば、光ディスクへのデータの記録が停止されてから再び光ディスクへデータの記録ができるようになるまでの記録停止時間内に、光ピックアップから光ディスクへ射出する記録レーザ光の最適記録パワーを求め、あるいは、記録装置内の温度上昇が所定値以上あった場合に光ディスクの回転制御を再調整し、光ディスクから再生したデータにエラーがないことを確認するなどを行う光ディスク記録装置を提供することができる。
【図面の簡単な説明】
【００１０】
【図１】本発明装置の実施の形態を示すブロック図である。
【図２】本発明装置の実施の形態の動作を示すフローチャートである。
【図３】バッファメモリのメモリ状態を示すグラフである。
【図４】検査動作を示すフローチャートである。
【発明を実施するための形態】
【００１１】
本発明の実施の形態を、図１〜図４を用いて、説明する。
【００１２】
光ディスク記録再生装置ＡＡは、図１に示すように、スピンドルモータ１、光ピックアップ２、サーボ制御部３、ヘッドアンプ４、変調部５、復調部６、バッファメモリ７、インターフェース制御部８、システム制御部９を備えている。符号Ｄは光ディスクを示す。
【００１３】
光ディスクＤは、記録型光ディスクであり、ＢＤ(Blu-ray Disc)規格の光ディスクＤの場合はＢＤ−Ｒ（Blu-ray Disc Recordable ）、ＢＤ−ＲＥ（Blu-ray Disc REwritable）、ＤＶＤ（Digital Versatile Disc）規格の光ディスクＤの場合には、ＤＶＤ−Ｒ（Digital Versatile Disc Recordable）、ＤＶＤ−ＲＷ（Digital Versatile Disc Re-Writable）、ＤＶＤ＋ＲＷ、ＤＶＤ−ＲＡＭ（Digital Versatile Disc Random Access Memory）である。
【００１４】
スピンドルモータ１は、スピンドルの回転中心にその中心が取り付けられたターンテーブル上に装着（チャッキング）された光ディスクＤを、サーボ制御部３の回転制御による回転数で回転する。
【００１５】
光ピックアップ２は、記録再生用光ピックアップであり、ＢＤレーザ、ＤＶＤレーザ、フォトディテクタ、ヘッドアンプを備えている（いずれも図示せず）。
【００１６】
ＢＤレーザは、ＢＤ規格の光ディスクＤ（ＢＤ−Ｒ、ＢＤ−ＲＥ）がターンテーブルに装着されたときにＢＤ対応の記録・消去・再生のいずれかのパワーでＢＤレーザ光を照射する。また、ＤＶＤレーザは、ＤＶＤ規格の光ディスクＤ（ＤＶＤ−Ｒ、ＤＶＤ−ＲＷ、ＤＶＤ＋ＲＷ、ＤＶＤ−ＲＡＭ）がターンテーブルに装着されたときにＤＶＤ対応の記録・消去・再生のいずれかのパワーでＤＶＤレーザ光を照射する。例えば、ＢＤレーザ光の波長は４０５ｎｍ、ＤＶＤレーザ光の波長は６５０ｎｍである。
【００１７】
光ピックアップ２は、ＢＤ規格の光ディスクＤへデータを記録する際、変調部５から供給される変調データ信号に対して所定の増幅をして得た記録パワーのＢＤレーザ光をＢＤレーザからＢＤ規格の光ディスクＤの信号面に射出して、変調データ信号を記録する。一方、ＢＤ規格の光ディスクＤから変調データ信号を再生する際、再生パワーのＢＤレーザ光をＢＤ規格の光ディスクＤの信号面に射出して、それにより得られた反射光をフォトディテクタで受光し光電変換して得た変調データ信号を、ヘッドアンプ４へ出力する。
【００１８】
また、光ピックアップ２は、ＤＶＤ規格の光ディスクＤへデータを記録する際、変調部５から供給される変調データ信号を所要増幅して得た記録パワーのＤＶＤレーザ光をＤＶＤレーザからＤＶＤ規格の光ディスクＤの信号面に射出して、データを記録する。一方、ＤＶＤ規格の光ディスクＤから変調データ信号を再生する際、再生パワーのＤＶＤレーザ光をＤＶＤ規格の光ディスクＤの信号面に射出して、それにより得られた反射光をフォトディテクタで受光し光電変換して得た変調データ信号を、ヘッドアンプ４へ出力する。
【００１９】
サーボ制御部３は、システム制御部９からのサーボ制御に基づいて、スピンドルモータ１の回転制御、光ピックアップ２が照射するＢＤレーザあるいはＤＶＤレーザの記録・消去・再生のいずれかのパワー制御、光ピックアップ２のフォーカス制御・トラッキング制御・チルト制御、光ピックアップ２の移送制御等の各種サーボ制御を実行する。
【００２０】
ヘッドアンプ４は、光ピックアップ２から供給される変調データ信号に対して所定の増幅をして、復調部６へ出力する。
【００２１】
変調部５は、バッファメモリ７から供給されるデータ信号をＢＤ規格又はＤＶＤ規格に対応した所定の変調フォーマットで変調して得た変調データ信号を、光ピックアップ２へ出力する。
【００２２】
復調部６は、ヘッドアンプ４から供給される変調データ信号をＢＤ規格又はＤＶＤ規格に対応した所定の変調フォーマットと相補的に復調して得たデータ信号を、バッファメモリ７へ出力する。
【００２３】
バッファメモリ７は、システム制御部９の制御により、インターフェース制御部８から供給される外部から到来するデータ信号を記憶し、記憶したデータ信号を変調部５へ出力する入力動作を行なう。一方、復調部６から供給されるデータ信号を記憶し、記憶したデータ信号をインターフェース制御部８へ出力する出力動作を行う。
【００２４】
インターフェース制御部８は、システム制御部９の制御により、外部から印加されるデータ信号を入力してバッファメモリ７へ出力する入力制御を行う。一方、バッファメモリ７から供給されるデータ信号を入力して、外部へ出力する出力制御を行う。
【００２５】
システム制御部９は、サーボ制御部３に対してサーボ制御を行い、バッファメモリ７とインターフェース制御部８とに対してデータ信号の入出力制御を行う。これ以外に、システム制御部９は、光ディスク記録再生装置ＡＡ各部の所定の制御を行う。
【００２６】
また、システム制御部９は、ターンテーブルに装着される光ディスクＤを光ディスク記録再生装置ＡＡ外へ取り出すための図示しないトレイのイジェクト（排出）、外部から光ディスク記録再生装置ＡＡ内へ導挿入される光ディスクＤをターンテーブルに装着するためのローディング（挿入）をそれぞれ検知した検知信号や、ユーザの操作により図示しない操作入力部（バックエンド）から入力される記録、再生、消去等の各種の操作コマンド（操作信号）等が入力される。そして、システム制御部９は、これら検知信号や各種の操作信号に基づいて生成した、各種の制御信号を、サーボ制御部３へ出力する。この制御信号には、光ディスクＤのディスク判別結果であるディスク判別信号等を含んでもよい。
【００２７】
このように前述した構成を有する光ディスク記録再生装置ＡＡは、ＢＤ規格又はＤＶＤ規格の光ディスクＤに対する記録再生を行うことができる。
【００２８】
次に、光ディスク記録再生装置ＡＡの記録動作について、図２、図３を用いて説明する。
【００２９】
まず、ユーザの操作により図示しない操作部の「記録」が選択入力されると、記録操作信号がシステム制御部９へ出力される。これに応じて、システム制御部９は、記録処理を開始する（ステップＳ１）。この時点でサーボ制御部３は、システム制御部９から供給される待機制御信号に基づいて、スピンドルモータ１の回転制御、光ピックアップ２が光ディスクＤに対して射出するＢＤレーザ光あるいはＤＶＤレーザ光の記録パワー制御、フォーカス制御・トラッキング制御・チルト制御、光ピックアップ２の移送制御等の各種サーボ制御の実行を待機する。また、システム制御部９は、バッファメモリ７のメモリ状態を一旦リセットする（時点Ａ）。
【００３０】
次に、システム制御部９は、インターフェース制御部８に外部から記録すべきデータ信号が印加されていることを検知すると、インターフェース制御部８に対して印加されているデータ信号を入力してバッファメモリ７へ出力する入力制御を行うと共に、バッファメモリ７に対してインターフェース制御部８から供給されるデータ信号を記憶するメモリ制御を行う。これに応じて、インターフェース制御部８は外部から印加しているデータ信号を入力してバッファメモリ７へ出力し、バッファメモリ７はインターフェース制御部８から供給されるデータ信号の記憶を開始する（ステップＳ２）。
【００３１】
次に、システム制御部９は、インターフェース制御部８からバッファメモリ７へ連続して供給されるデータ信号の入力状態を検知して、データ信号の転送レートを計測する（ステップＳ３，時点Ａ→時点Ｂ）。インターフェース制御部８からバッファメモリ７へ転送されるデータ信号は、１セクタ（2048バイト）単位で転送されるから、システム制御部９の内蔵のタイマを使用して、１秒間に転送されてくるセクタ数をカウントすることで、データ信号の転送レートを計測することができる。
【００３２】
次に、システム制御部９は、インターフェース制御部８からバッファメモリ７へ供給されるデータ信号の転送レートと、バッファメモリ７にメモリされているデータ信号を読み出して変調データ信号として光ディスクＤに書込むための書込みレートとのレート差（時間差）を計測し、バッファメモリ７にメモリされているデータ量の増減を監視する。そして、前記したレート差によるバッファメモリ７のデータ量がＦｕｌｌ（フル）値より低い予め設定される記録開始閾値Ｘ以上であるか否かを判断する（ステップＳ４）。前記したレート差によるバッファメモリ７のデータ量が記録開始閾値Ｘ以上であると判断すると（ステップＳ４「ＹＥＳ」）、光ディスクＤへの記録を開始する制御を行う（ステップＳ５，時点Ｂ）。これに応じて、システム制御部９はサーボ制御部３に対して、待機制御信号に替えて実行制御信号を出力する。サーボ制御部３は、システム制御部９から供給される実行制御信号に基づいて、スピンドルモータ１の回転制御、光ピックアップ２が光ディスクＤに対して照射するＢＤレーザ光あるいはＤＶＤレーザ光の記録パワー制御、フォーカス制御・トラッキング制御・チルト制御、光ピックアップ２の移送制御等の各種サーボ制御を実行する。そして、所定の待機位置から変調データ信号の記録開始を行う光ディスクＤのアドレス位置に対応した位置まで光ピックアップ２を移送するに要するシークタイムを計測する（ステップＳ６）。この時、システム制御部９のタイマを使用してシーク開始から終了までのシーク時間を計測し、この計測時間を記録開始予定のアドレス位置に所定間隔をもって対向する位置までのシークタイムとして、保存しておく。一方、前記したレート差によるバッファメモリ７のデータ量が記録開始閾値Ｘ以上でないと判断すると（ステップＳ４「ＮＯ」、ステップＳ４）へ戻る。
【００３３】
次に、光ディスクＤへの変調データ信号の記録が開始される。これにより、変調部５から光ピックアップ２へ出力する変調データ信号の転送レートはインターフェース制御部８からバッファメモリ７に入力するデータ信号の転送レートより大きい関係があるから、このレート差によって、バッファメモリ７にメモリされているデータ信号は減少方向へ推移する。システム制御部９は、この推移を監視して、バッファメモリ７のデータ量が記録開始閾値Ｘよりも低い記録停止閾値Ｙになったか否かを判断する（ステップＳ７）。バッファメモリ７のデータ量が記録停止閾値Ｙになったと判断すると（ステップＳ７「ＹＥＳ」）、光ディスクＤへの変調データ信号の記録を停止する（ステップＳ８，時点Ｃ）。これに応じて、システム制御部９はサーボ制御部３に対して、実行制御信号に替えて待機制御信号を出力する。サーボ制御部３は、システム制御部９からの待機制御信号に基づいて、スピンドルモータ１の回転制御、光ピックアップ２が光ディスクＤに対して照射するＢＤレーザ光あるいはＤＶＤレーザ光の記録パワー制御、フォーカス制御・トラッキング制御・チルト制御、光ピックアップ２の移送制御等の各種サーボ制御の実行を停止し、待機状態とする。一方、バッファメモリ７のデータ量が記録停止閾値Ｙでないと判断すると（ステップＳ７「ＮＯ」）、ステップＳ７）へ戻る。
【００３４】
次に、システム制御部９は、前記した待機状態となった時点Ｃから次の実行状態となる時点Ｅまでの記録停止時間を計測する（ステップＳ９）。システム制御部９は、バッファメモリ７がオーバーフローになることを防止するため、記録停止閾値Ｙから記録開始閾値Ｘに達するまでの記録停止時間（時点Ｃ→時点Ｅ）を求める。この時間は、次のようにして算出することができる。
【００３５】
次の記録開始までの記録停止時間ｓは、
ｓ  ＝（ａ−ｂ）／ｃ＋ｄ                                  （式１）
（但し、
ａ：バッファメモリ７の記録開始閾値Ｘの時点Ｂ，Ｅ  [ＭＢ]
ｂ：バッファメモリ７の記録停止閾値Ｙの時点Ｃ，  [ＭＢ]
ｃ：バッファメモリ７へ入力するデータ信号の転送レート  [ＭＢ/ｓ]
ｄ：目的のアドレス位置までのシークタイム  [ｓ]）
【００３６】
次に、システム制御部９は、ディスク検査内容を決定する。
システム制御部９は、上記（式１）で得られた記録停止時間と、ディスク検査に必要な検査時間とから検査内容を決定して、この記録停止時間内にディスク検査が可能であるか否かを判断する（ステップＳ１０）。ディスク検査が可能であると判断すると（ステップＳ１０「ＹＥＳ」，検査可能時点Ｄ→時点Ｅ）、再びバッファメモリ７のデータ量（残量）を確認し、記録開始条件が整っていれば再び記録を開始し（時点Ｅ）、これらの検査の一方又は両方を実行する（ステップＳ１１）。この時にシステム制御部９は前記検査で得られた結果を利用し、記録条件を最適化する。間欠記録を行う間、上記動作を繰り返すことにより、光ディスク記録再生装置ＡＡでは光ディスクＤへのデータ信号の記録品位をより向上させることが可能となる。この後、ステップＳ３へ戻る。一方、記録停止時間内にこれらディスク検査が可能でないと判断すると（ステップＳ１０「ＮＯ」）、ディスク検査を実行せずにステップＳ３へ戻る。こうして、一連の処理が終了する。
【００３７】
さて、前述した（ステップＳ１１）における記録予定エリアの検査、記録済みエリアの検査を、図４を用いて、具体的に説明する。
【００３８】
同図中、符号ｔは記録停止時間（＝上記（式１）のｓ）、ｔ１は直前に記録したディスクのエリアの一部を再生して変調度を測定し最適記録パワーを求めるためのテスト時間、ｔ２は現在の温度と光ディスクの回転状態とに適合なサーボ系を安定させるための再調整時間、ｔ３は直前に記録した部分の全てを再生しここにエラーが発生していないことを確認するに必要なエラー確認時間である。記録停止時間ｔは前記した記録停止時間ｓに等しい。ここでは、ｔ１＜ｔ２＜ｔ３である。
【００３９】
システム制御部９は、上記（式１）で得られた記録停止時間と、ディスク検査に必要な検査時間とから検査内容を決定して、この記録停止時間内にディスク検査が可能であると判断すると（ステップＳ１０「ＹＥＳ」）、システム制御部９は、テスト時間ｔ１＜記録停止時間ｔであるか否かを判定する（ステップＳ１５）。ステップＳ１５でシステム制御部９により、テスト時間ｔ１＜記録停止時間ｔであると判定された場合（ステップＳ１５「ＹＥＳ」）、次に、システム制御部９は、記録停止時間ｔ＜再調整時間ｔ２であるか否かを判定する（ステップＳ１６）。ステップＳ１６でシステム制御部９により、記録停止時間ｔ＜再調整時間ｔ２であると判断された場合（ステップＳ１６「ＹＥＳ」）、直前に記録したディスクのエリアの一部を再生して変調データ信号の変調度を測定して、最適記録パワーを求め（ステップＳ１７）、一連の検査フローは終了する。一方、ステップＳ１５でシステム制御部９により、テスト時間ｔ１＜記録停止時間ｔでないと判定された場合（ステップＳ１５「ＮＯ」）、検査フローは直ちに終了する。
【００４０】
前記したステップＳ１６でシステム制御部９により、記録停止時間ｔ＜再調整時間ｔ２でないと判断された場合（ステップＳ１６「ＮＯ」）、システム制御部９は光ディスク記録再生装置ＡＡ内の温度を測定し（ステップＳ１８）、次に、前回検査時との温度差が所定値以上か否かを判断する（ステップＳ１９）。ここでは温度差の上限値を５℃で説明するが、この上限値は必要に応じて工場出荷時に適宜設定できる。ステップＳ１９でシステム制御部９により、前回検査時との温度差が５℃以上であると判断された場合（ステップＳ１９「ＹＥＳ」）、次に、（テスト時間ｔ１＋再調整時間ｔ２）＜記録停止時間ｔであるか否かを判断する（ステップＳ２０）。ステップＳ２０でシステム制御部９により、（テスト時間ｔ１＋再調整時間ｔ２）＜記録停止時間ｔであると判断された場合（ステップＳ２０「ＹＥＳ」）、前記したステップＳ１７と同様に、システム制御部９は直前に記録したディスクのエリアの一部を再生して変調データ信号の変調度を測定して、最適記録パワーを求め（ステップＳ２１）、次に、現在の温度と光ディスクの回転状態とに適合なサーボ系を安定させるための再調整を行い（ステップＳ２２）、検査フローを終了する。
【００４１】
前記したステップＳ１９でシステム制御部９により、前回検査時との温度差が５℃以上でないと判断された場合（ステップＳ１９「ＮＯ」）、システム制御部９は（テスト時間ｔ１＋エラー確認時間ｔ３）＜記録停止時間ｔであるか否かを判断する（ステップＳ２３）。ステップＳ２３でシステム制御部９により、（テスト時間ｔ１＋エラー確認時間ｔ３）＜記録停止時間ｔであると判断された場合（ステップＳ２３「ＹＥＳ」）、システム制御部９は直前に記録したディスクのエリアの一部を再生して変調データ信号の変調度を測定して、最適記録パワーを求め（ステップＳ２４）、直前に既記録したディスクのエリアの全てを再生してここにエラーが発生していないことを確認し（ステップＳ２５）、検査フローを終了する。
【００４２】
また、前記したステップＳ２０でシステム制御部９により、（テスト時間ｔ１＋再調整時間ｔ２）＜記録停止時間ｔでないと判断された場合（ステップＳ２０「ＮＯ」）、あるいは、前記したステップＳ２３でシステム制御部９により、（テスト時間ｔ１＋エラー確認時間ｔ３）＜記録停止時間ｔでないと判断された場合（ステップＳ２３「ＮＯ」）、それぞれ、直前に記録した部分の一部を再生して変調度を測定して最適記録パワーを求め（ステップＳ１７）、検査フローを終了する。
【００４３】
このように、本発明のシステム制御部は、光ディスク（Ｄ）に対する記録処理が開始されると、メモリ（７）へのデータ信号の記憶を開始し、第１のデータ転送レートを計測し、メモリに記憶されているデータ信号の記憶容量が記憶開始閾値（Ｘ）以上となると光ディスクへの記録データ信号の記録を開始し、光ピックアップのシークタイムを計測し、メモリに記憶されているデータ信号の記憶容量が記憶開始閾値より低い記憶停止閾値（Ｙ）以下となると、光ディスクへの記録データ信号の記録を停止し、記憶開始閾値から記憶停止閾値を減算した値を第１の転送レートで除算し、除算した値にシークタイムの時間を加算して記録停止から次の記録開始までの記録停止時間を算出し、記録停止時間に応じて、光ディスクに対する必要な検査内容を決定するものである。
【００４４】
また、本発明のシステム制御部は、記録処理が開始されると、メモリへのデータ信号の記憶を開始し、インターフェース制御部からバッファメモリへ供給されるデータ転送レートを計測し、メモリに記憶されているデータ信号の記憶容量が第１の閾値（Ｘ）以上となると光デイスクへの記録データ信号の記録を開始し、光ピックアップのシークタイムを計測し、メモリに記憶されているデータ信号の記憶容量が第１の閾値より低い第２の閾値（Ｙ）以下となると、光デイスクへの記録データ信号の記録を停止し、この記録停止から次の記録開始までの記録停止時間ｔを計測し、
記録停止時間ｔが、光ピックアップから光ディスクに射出する記録レーザ光が最適記録パワーであることを検査する検査時間ｔ１より長く、かつ記録停止時間ｔが光ディスク記録装置（ＡＡ）内の温度と光ディスクの回転状態とを安定させるための再調整時間ｔ２より短い場合、最適記録パワーを求めて検査を終了し、
記録停止時間ｔが検査時間ｔ１より長くかつ記録停止時間ｔが再調整時間ｔ２より長い場合、光ディスク記録装置内の温度を測定し、この測定した温度と前回測定した温度との温度差が所定値以上であり、かつ記録停止時間ｔが検査時間ｔ１と再調整時間ｔ２とを合わせた時間より長い場合、最適記録パワーを求め、光ディスク記録装置内の温度と前記光ディスクの回転状態とに適合する再調整を行って検査を終了し、
記録停止時間ｔが検査時間ｔ１より長くかつ記録停止時間ｔが再調整時間ｔ２より長い場合、光ディスク記録装置内の温度を測定し、この測定した温度と前回測定した温度との温度差が所定値以上でなく、かつ記録停止時間ｔが検査時間ｔ１と前記光ディスクから読み出した再生データ信号にエラーがないことを検査する検査時間ｔ３とを合わせた時間より長い場合、最適記録パワーを求め、前記光ディスクから読み出した再生データ信号にエラーがないことを確認して検査を終了するものである。
【符号の説明】
【００４５】
２  光ピックアップ
７  バッファメモリ（メモリ）
９  システム制御部（制御部）
ＡＡ  光ディスク記録再生装置（光ディスク記録装置）
Ｄ  光ディスク
Ｘ  記録開始閾値
Ｙ  記録停止閾値
【図１】
2011103161.tif 000003
【図２】
2011103161.tif 000004
【図３】
2011103161.tif 000005
【図４】
2011103161.tif 000006